(57)【特許請求の範囲】
【請求項１】
床面等の固定面に取り付けられ、２本のボルトを立設した基板と、
前記ボルト間で配管を抱持する上・下一対の半割環状バンド部と、
該上・下一対の半割環状バンド部夫々の左右端部を延伸し、該延伸部分に前記ボルトの外径よりも僅かに大きい径のボルト挿通孔を有する取付部と、
を有する配管用フロアバンドにおいて、
前記基板と下半割環状バンド部の取付部との間であって且つ前記ボルトを挿通した状態で弾性体部を介在させる構成であり、
該弾性体部が、防振ゴム・ワッシャー・スプリングコイル・ワッシャー・防振ゴムの順で積み重ねた状態で構成されており、
前記上半割環状バンド部及び／又は前記上半割環状バンド部の取付部を前記弾性体部の弾性力及び反発力に抗して下方に押圧した状態で前記上半割環状バンド部の取付部の上位置で前記ボルトにナットを螺合して上・下一対の半割環状バンド部を前記基板から一定の高さに固定する構成であることを特徴とする配管用フロアバンド。
【請求項２】
前記上半割環状バンド部の左右の取付部のいずれか一方のボルト孔が、配管軸と略平行方向に開放部を有する切込溝であり、切込溝ではない他方のボルト孔を支点として上半割環状バンド部が枢支回動して配管の抱持状態を開放可能な構成を有しており、上半割環状バンド部の取付部と下半割環状バンド部の取付部の少なくともいずれか一方には、他方の半割環状バンド部の取付部の一部に掛止することで、切込溝の形成されている取付部がボルトから脱落するのを防止する掛止部が設けられている構成であることを特徴とする請求項１に記載の配管用フロアバンド。
【発明の詳細な説明】
【０００１】
【発明の属する技術分野】
本発明は配管用フロアバンドに関し、詳しくは床面等の固定面から立ち上げた状態で配管を防振状態で支持する配管用フロアバンドに関する。
【０００２】
【従来の技術】
従来、防振状態でケーブルを支持する技術としては、実開平１−５８２３３号公報に記載のものなどが知られている。
【０００３】
この技術では、基板に立設した２本のボルトの夫々に、先ず、カラーを挿通し、次に、上下一対の半割環状バンド部を該半割環状バンド部夫々の左右端縁の延伸部である取付部に形成されたボルト挿通孔を用いて挿通し、次に、スプリングを挿通した後、該スプリングをワッシャーで抑えた状態でナットによって固定することにより、ケーブルを防振状態で抱持支持するものである。
【０００４】
しかしこの技術では、ケーブルに代え配管を支持する場合、ナットによる締め付けが左右のボルトに対してアンバランスであっても可能なため、配管への抱持支持時の圧迫が不均等となってしまう場合がある。
【０００５】
ナットの締め付け及び抱持支持時の圧迫が左右不均等である場合、ウォーターハンマー現象等の配管の振動を均一に受け止めることができず、防振性が低下するだけでなく、配管の接続部や配管そのものに捩じれや負荷が掛かり易く、破損や故障の原因となる可能性を有している。
【０００６】
また、現場での作業に際しては、取付けの最後においてナットによる固定を行うときに手指でスプリングの頭部を抑えながらワッシャーを嵌め込み、更にナットをボルト先端に螺合しなければならないため、作業場所が暗所で且つ狭所であることを考慮すると、スプリングの頭部を抑える指を滑らせてしまった場合、スプリングの弾性力及び反発力によって、ナット、ワッシャー及びスプリングの各部材を弾き飛ばして失ってしまう可能性が高い。
【０００７】
【発明が解決しようとする課題】
そこで本発明の課題は、均等な状態で配管を安定した防振状態で抱持支持可能で、しかも作業性に優れた配管用フロアバンドを提供することにある。
【０００８】
【課題を解決するための手段】
本発明の上記課題は、下記構成によって達成される。
【０００９】
１．床面等の固定面に取り付けられ、２本のボルトを立設した基板と、
前記ボルト間で配管を抱持する上・下一対の半割環状バンド部と、
該上・下一対の半割環状バンド部夫々の左右端部を延伸し、該延伸部分に前記ボルトの外径よりも僅かに大きい径のボルト挿通孔を有する取付部と、
を有する配管用フロアバンドにおいて、
前記基板と下半割環状バンド部の取付部との間であって且つ前記ボルトを挿通した状態で弾性体部を介在させる構成であり、
該弾性体部が、防振ゴム・ワッシャー・スプリングコイル・ワッシャー・防振ゴムの順で積み重ねた状態で構成されており、
前記上半割環状バンド部及び／又は前記上半割環状バンド部の取付部を前記弾性体部の弾性力及び反発力に抗して下方に押圧した状態で前記上半割環状バンド部の取付部の上位置で前記ボルトにナットを螺合して上・下一対の半割環状バンド部を前記基板から一定の高さに固定する構成であることを特徴とする配管用フロアバンド。
【００１３】
２．前記上半割環状バンド部の左右の取付部のいずれか一方のボルト孔が、配管軸と略平行方向に開放部を有する切込溝であり、切込溝ではない他方のボルト孔を支点として上半割環状バンド部が枢支回動して配管の抱持状態を開放可能な構成を有しており、上半割環状バンド部の取付部と下半割環状バンド部の取付部の少なくともいずれか一方には、他方の半割環状バンド部の取付部の一部に掛止することで、切込溝の形成されている取付部がボルトから脱落するのを防止する掛止部が設けられている構成であることを特徴とする請求項１に記載の配管用フロアバンド。
【００１４】
【発明の実施の形態】
以下、本発明の具体的構成について説明する。
図１は本発明に係る配管用フロアバンドの一実施例を示す正面図、図２は本発明に係る配管用フロアバンドの上・下半割環状バンド部の他の実施例を示す斜視図である。
【００１５】
本発明に係る配管用フロアバンドは、床面等の固定面から立ち上げた状態で配管を防振状態で支持するものであり、２本以上のボルトを立設した基板をベース部分としている。尚、図１及び図２では配管を省略している。
【００１６】
図１に示す本発明の配管用フロアバンド１では、床面等の固定面に取り付けられる基板２に、２本のボルト３・３を立設しており、該２本のボルト３・３間で配管を支持するものである。２本のボルト３・３は、基板２に直接溶接してもよいし、基板２に点付溶接した基板ナットに螺合してもよいし、或いは基板２を部分的に打ち抜き立ち上げし、該立ち上げ部分の内側に雌ネジを切り、該雌ネジ部にボルト３・３を螺合することにより立設してもよい。
【００１７】
配管は、上・下一対から成る半割環状バンド部４・５（上を４とし、下を５とする。）によって上下から挟み込まれた状態で抱持されることになる。
【００１８】
該上・下一対の半割環状バンド部４・５夫々の左右端縁は延伸されており、該延伸した部分にボルト３・３が挿通されるボルト孔が形成された取付部４１・４２及び取付部５１・５２を有する。ボルト孔の孔径は、ボルト３・３の外径よりも僅かに大きく、好ましくは１〜５ｍｍ、より好ましくは１〜３ｍｍ大きく形成されている。
【００１９】
図１において６は、前記基板２と下半割環状バンド部５の取付部５１・５２との間で前記ボルト３・３に挿通されるスプリングコイルである弾性体である。スプリングコイルである弾性体６の上・下端には、受け部材としてワッシャー８・８を介して防振ゴム９・９を配設している。
【００２０】
また７は、上半割環状バンド部４の取付部４１・４２の上位置で前記ボルト３・３に螺合して上・下一対の半割環状バンド部４・５を一定の高さに固定するナットである。
【００２１】
ナット７のボルト３・３への螺合は、弾性体６の弾性力及び反発力に抗して行われるが、この際、弾性体６自体を抑えなくても、ナット７を螺合する側の取付部（４１又は４２）を手指で上から押圧することで、弾性体６の弾性力及び反発力を極めて容易に抑制することができる。また、取付部（４１又は４２）ではなく、上半割環状バンド部４を抱持した配管と共に上から押圧してもよい。
【００２２】
このように、ナット７の螺合に際しては、比較的小さな部品でしかも抑え難い形状のスプリングコイルからなる弾性体６自体を抑えずとも、大きな部材ないしは広い面を有する部材である取付部４１・４２及び／又は上半割環状部材４（及び配管）を抑え付けることで、弾性体６の弾性力及び反発力を極めて容易に抑制することができる。
【００２３】
従って、暗所且つ狭小な作業場所でも部品を弾き飛ばして失うことなく作業を行うことができる。しかも、かかる作業は、比較的厚手なために細かな作業が不向きである軍手や革製作業手袋をしたままでも、何ら不都合なく容易に行うことができる。
【００２４】
ボルト３・３にナット７・７を螺合した後、該ナット７・７を締め付けていくが、この際、取付部４１・４２のボルト孔の径はボルト３の外径より僅かに大きいだけなので、一方のナット７のみを締め付けた場合、上・下一対の半割環状バンド部４・５が一方に傾き、そしてボルト孔の内周がボルト３の外周に当たり、ナット７の一方のみの締め付けが一定量で制限される。
【００２５】
この締め付けの一定量の制限が、左右のナット７・７の締め付けを交互に行う目安になるので、左右においてアンバランスになるのを未然に防止することができる。
【００２６】
従って、左右均等状態でナット７・７による締め付けを行うことができるので、配管への抱持支持時の圧迫が不均等となることがなく、ウォーターハンマー現象等の配管の振動を常に均一に受け止めることができるため、配管の接続部や配管そのものに余計な負荷が掛からず、破損や故障の発生を抑制することができる。
【００２７】
また、ナット７・７による締め付けの程度によって、上・下一対の半割環状バンド部４・５の支持高さの調整が可能である。即ち、上・下一対の半割環状バンド部４・５はボルト３・３に挿通された状態で弾性体６の弾性力によって支持されているため、ナット７・７をより締め付ければ、その支持位置を下げることができるし、弛めれべ支持位置を上げることができる。この点、先に挙げた従来技術では、配管の支持高さはカラーの高さに制限されるので、本発明のように細かな高さ調整を行うことができない。
【００２８】
次に図２に基づき、本発明の配管用フロアバンドの上・下半割環状バンド部の他の実施例について説明する。尚、図２では、弾性体６として板バネを用いているが、当該構成は本発明の参考例である。
【００２９】
図２に示す配管用フロアバンド１では、上半割環状バンド部４の取付部４１・４２の各ボルト孔４３・４４のいずれか一方（図２ではボルト孔４３）が、配管軸と略平行方向に開放部を有する切込溝となっているため、切込溝ではないボルト孔（図２ではボルト孔４４）を支点として上半割環状バンド部４が枢支回動することが可能となる。
【００３０】
従って、ナット７・７をボルト３・３の頭部に螺合したままの状態で、配管の抱持状態を開放することが可能となるので、この状態で、配管抱持位置に配管を案内することができる。
【００３１】
配管を案内した後、前記ボルト孔４３を支点として上半割環状バンド部４を回動し、切込溝であるボルト孔４３をボルト３に挿通し、その後、ナット７・７を締め付けることにより配管を抱持した状態で固定することができる。
【００３２】
図２に示す態様によれば、作業時に特に紛失し易い部品であるナット類（ワッシャーを含む）を外すことなくボルト３・３に螺合させたままで作業ができるという効果を有している。
【００３３】
尚、図２では、支点となるボルト孔を４３としたが、反対側の４４でもよいことはいうまでもない。
【００３４】
更に図２に示す態様では、上半割環状バンド部４の取付部４１には、掛止部４５が設けられており、下半割環状バンド部５の取付部５１には、掛止部４５が掛止する被掛止部５５が設けられている。
【００３５】
掛止部４５及び被掛止部５５の存在により、ナット７・７に緩みが生じた場合や弾性体６の弾性に若干の衰えがあっても、取付部４１がボルト３から脱落するのを防止することができる。
【００３６】
尚、掛止部４５は、上半割環状バンド部４と下半割環状バンド部５とが互いに掛止されていればよいので、上半割環状バンド部４の取付部４１に限らず、他方の取付部４２に設けられていてもよいし、下半割環状バンド部５の取付部５１・５２のいずれかに設けられていてもよい。
【００３７】
以上、本発明に係る配管用フロアバンドについて説明したが、本発明の参考例としては、弾性体６として、上記実施例のスプリングコイルに代えて、筒状のゴム弾性体を用いる態様を採ることができる。弾性体６として、筒状ゴム弾性体を用いた場合、防振ゴム９・９及びワッシャー８・８を省略してもよい。
また、防振性をより高めるためには、基板２と固定面との間に板状の防振ゴムを介在させてもよい。
【００３８】
さらに、配管抱持面である上・下半割環状バンド部４・５の内周に同一肉厚の帯状防振ゴムを配設してもよい。帯状防振ゴムを配設することにより、さらに配管の防振性を高めることができる。また、帯状防振ゴムの配設は、配管の防振性だけでなく、該帯状防振ゴムの枚数や厚みを調整することにより、抱持支持する配管の径の大小に対応させることができる。
【００３９】
本発明に用いられる上・下一対の半割環状バンド部は、図示の如き完全な全面抱持構成に限らず、上・下いずれかが平板状であり、配管の半分を面抱持する構成、或いはＶ字や凹部によって配管の３点以上を面抱持する構成であってもよい。
【００４０】
【発明の効果】
本発明によれば、均等な状態で配管を安定した防振状態で抱持支持可能で、しかも作業性に優れた配管用フロアバンドを提供することができる。
【００４１】
特に請求項１に示す本発明によれば、ナットの螺合に際しては、比較的小さな部品でしかも抑え難い形状のスプリングコイルからなる弾性体自体を抑えずとも、大きな部材ないしは広い面を有する部材である取付部及び／又は上半割環状バンド部（及び配管）を抑え付けることで、弾性体の弾性力及び反発力を極めて容易に抑制することができるので、暗所且つ狭小な作業場所でも部品を弾き飛ばして失うことなく作業を行うことができる。しかも、かかる作業は、比較的厚手なために細かな作業が不向きである軍手や革製作業手袋をしたままでも、何ら不都合なく容易に行うことができる。
【００４２】
また、ナットの螺合の際、取付部のボルト孔の径はボルトの外径より僅かに大きいだけなので、ナットの一方のみの締め付けが一定量で制限されることにより、左右のナットの締め付けを交互に行う目安になるので、配管の支持状態が左右においてアンバランスになるのを未然に防止することができる。
【００４３】
さらに、ナットによる締め付けの程度によって、配管の支持高さの調整が可能である。
【００４４】
また、請求項２に示す本発明によれば、上ナットを螺合したままの状態で、配管の抱持状態を開放して配管抱持位置に配管を案内することができる。さらに、作業時に特に紛失し易い部品であるナット類（ワッシャーを含む）を外すことなくボルトに螺合させたままで作業ができる。
【図面の簡単な説明】
【図１】本発明に係る配管用フロアバンドの一実施例を示す正面図
【図２】本発明に係る配管用フロアバンドの上・下半割環状バンド部の他の実施例を示す斜視図
【符号の説明】
１  配管用フロアバンド
２  基板
３  ボルト
４  上半割環状バンド部
４１・４２  取付部
４３・４４  ボルト孔
４５  掛止部
５  下半割環状バンド部
５１・５２  取付部
５５  被掛止部
６  弾性体
７  ナット
８  ワッシャー
９  防振ゴム
【図１】
0004679738.tif 000002
【図２】
0004679738.tif 000003